(57)【要約】 【課題】  構成が簡単な防爆機器を得る。【解決手段】  本発明は、爆発性ガスの雰囲気で使用される防爆機器であって、防爆構造の容器１と、容器１内に設けられ、容器１を通して外部へ入力装置に相当する画像１０を映し出す画像出力部４ａと、容器１内に設けられ、画像が映し出された位置における操作者の操作を容器１を通して検出する検出部４ｂとを備える。【選択図】        図１
2005275998.tif 000002
【特許請求の範囲】
【請求項１】
爆発性ガスの雰囲気で使用される防爆機器であって、
防爆構造の容器と、
前記容器内に設けられ、前記容器を通して外部へ入力装置に相当する画像を映し出す画像出力部と、
前記容器内に設けられ、前記画像が映し出された位置における操作者の操作を前記容器を通して検出する検出部と、
を備えた防爆機器。
【発明の詳細な説明】
【技術分野】
【０００１】
本発明は爆発性ガスの雰囲気の危険個所で使用される防爆機器に関する。
【背景技術】
【０００２】
従来の防爆機器としては特許文献１がある。
【特許文献１】特開２００２−３１９７７０号公報
【０００３】
この特許文献１には電子機器本体が収納された防爆構造の容器にコネクタが設けられており、このコネクタに外部のキーボードが接続された技術が開示されている。防爆構造の容器内には、キーボードを本質安全防爆化するための安全保持器（バリア回路）が設けられている。
【発明の開示】
【発明が解決しようとする課題】
【０００４】
以上のように、従来の技術では外部のキーボードを接続するために、キーボードのために安全保持器を設ける必要があるため、構成が複雑になるという問題点があった。
【０００５】
本発明は上記の問題点を解決するためになされたものであり、構成が簡単な防爆機器を得ることを目的とする。
【課題を解決するための手段】
【０００６】
請求項１に記載の課題を解決するための手段は、爆発性ガスの雰囲気で使用される防爆機器であって、防爆構造の容器と、前記容器内に設けられ、前記容器を通して外部へ入力装置に相当する画像を映し出す画像出力部と、前記容器内に設けられ、前記画像が映し出された位置における操作者の操作を前記容器を通して検出する検出部とを備える。
【発明の効果】
【０００７】
請求項１に記載の発明によれば、容器を通して外部へ入力装置に相当する画像を映し出し、画像が映し出された位置における操作者の操作を前記容器を通して検出するため、従来のように安全保持器が必要なく、構成が簡単になる。
【発明を実施するための最良の形態】
【０００８】
次に本発明の実施の形態について説明する。図１は本実施の形態の防爆機器を示す正面図、図２はこの側面から見た内部構造を示す概念図である。これらの図に示すように、実施の形態の防爆機器は爆発性ガスの雰囲気で使用される防爆機器であって、光が反射しにくい平坦な台２０の上に載置されており、防爆構造の容器１の中に、パソコン本体２、ディスプレイ３及び入力部４が設けられている。
【０００９】
容器１は防爆構造であればよく、例えば耐圧防爆構造でもよいし、内圧防爆構造であってもよい。容器１の正面上側には開口が設けられており、この開口に例えばガラスなどの透明板５がはめ込まれている。透明板５に対面する位置にディスプレイ３が配置され、これによって操作者は透明板５を通してディスプレイ３の表示内容を見ることができる。ディスプレイ３はパソコン本体２に電気的に接続されている。
【００１０】
また、容器１の正面下側には開口が設けられており、この開口に例えばガラスなどの透明板７がはめ込まれている。透明板７に対向する位置であってディスプレイ３の下側には入力部４が設けられ、入力部４はパソコン本体２に入力装置として電気的に接続されている。
【００１１】
入力部４は画像出力部４ａ及び検出部４ｂを含み、画像出力部４ａは透明板７を通して外部の平坦な台２０上に入力装置（例えばキーボード）に相当する画像（パターン）１０を映し出すこと（ホログラム投影）ができる。また、検出部４ｂは画像１０が映し出された位置における操作者の操作（例えば指の動きなど）を透明板７を通して検出することができる。なお、このような入力部４は例えば、特表２００３−５３５４０５号公報に開示された技術を用いれば実現可能である。
【００１２】
例えば同公報に開示されているように、画像出力部４ａはレーザーなどの光ビームを発する光源を有し、これによって画像１０を平坦な台２０上に描き出す。検出部４ｂは別の光ビームを発する光源を有し、この光ビームは画像１０の全域にわたって照射し、この反射を検出部４ｂは受ける。もし、操作者が指で画像１０内の所望のキーに触れると、この指によって光ビームが異なって反射する。この反射を入力部４が解析することによって操作者がどのキーを操作したかを判別することができる。その他、同公報に開示されている他の方法でもよく、例えば光ビームに代えて音響ビームを用いてもよいし、指先の血流を赤外像で読み取る方法などでもよい。
【００１３】
例えば、検出部４ｂは図示するように赤外線ビーム源４ｂａと赤外線検出器４ｂｂとを含む。赤外線ビーム源４ｂａは画像１０全体に赤外線のビームを照射し、赤外線検出器４ｂｂは画像１０から反射してきた赤外線の像を検出する。ここで、指で画像１０が描かれた台２０を押すと、指先の血流が変化するので赤外線検出器４ｂｂが検出する赤外線の像が変化する。入力部４は、この赤外線の像の変化を解析して、画像１０内のどのキーが押されたかを判別することができる。
【００１４】
その他の構成として、容器１の正面には電源をオン／オフするためのスイッチ９が設けられ、パソコン本体２と他の外部の機器との間で信号のやりとりを行うための光ケーブル８が設けられている。
【００１５】
次に動作について説明する。まず、スイッチ９をオンすると、パソコン本体２、ディスプレイ３及び入力部４が立ち上がり、入力部４から透明板７を通して画像１０が平坦な台２０上に映し出される。操作者は画像１０の所望のキー画像を指で触れて操作する。入力部４はこの操作を検出してデータに変換してパソコン本体２に伝える。パソコン本体２はこの入力データに基づいて所定の演算処理を行い、処理結果をディスプレイ３に表示する。操作者は透明板５を通してディスプレイ３に表示された処理結果を見ることができる。または、パソコン本体２は光ケーブル８を介して処理結果を外部の機器へ出力することもできる。
【００１６】
以上のように、容器１の透明板７を通して外部へ入力装置に相当する画像１０を映し出し、画像１０が映し出された位置における操作者の操作を容器１の透明板７を通して検出するため、従来のように安全保持器や機械的なキーボードを防爆構造の容器に接続するためのコネクタなどが必要なく、従来と同様の機能を有しつつ構成が簡単になり、安全保持器が必要ない分、安価になる。特に容器１を耐圧防爆構造にすると本質安全防爆構造などに比べ構成が簡単になる。また、キーボードを容器１内部から画像１０として外部へ提供するので、操作者が入力装置を準備して容器１に接続する必要がない。
【００１７】
なお、図１及び図２では入力部４を容器１内に設置した構成を示したが、図３及び図４に示すように、別の防爆機器として別の容器１２内に設けてもよい。図３及び図４の各符号は図１及び図２のそれぞれに対応し、入力部４はケーブル１１を介してパソコン本体２に入力装置として電気的に接続されている。この場合でも図１及び図２の場合同様、安全保持器が必要なく、構成が簡単になる。また、画像１０はキーボード以外にも例えば制御盤やノート型パソコンなどに付いているいわゆるタッチパッドなどに相当する画像でもよい。図５は入出力装置に相当する画像１３がタッチパッドの例であり、この画像１３を映し出す容器１２（防爆機器）を図１や図３の容器１にさらに外付けして、パソコン本体２に別の入力装置として電気的に接続する。操作者は画像１３内を指でなぞることにより、従来のタッチパッド同様、ディスプレイ３に表示されるカーソル（マウスポインタ）を動かすことができる。
【図面の簡単な説明】
【００１８】
【図１】本発明の実施の形態の防爆機器を示す正面図である。
【図２】本発明の実施の形態の防爆機器の内部構造を示す概念図である。
【図３】本発明の他の実施の形態の防爆機器を示す正面図である。
【図４】本発明の他の実施の形態の防爆機器の内部構造を示す概念図である。
【図５】本発明の他の実施の形態の防爆機器を示す正面図である。
【符号の説明】
【００１９】
１  容器、４ａ  画像出力部、４ｂ  検出部。
【図１】
2005275998.tif 000003
【図２】
2005275998.tif 000004
【図３】
2005275998.tif 000005
【図４】
2005275998.tif 000006
【図５】
2005275998.tif 000007